(57)【要約】      （修正有）【課題】特に飲食店や会議室等にあって、隣席や対向席との間をパーティションし、加えて、飛沫をはじめ花粉や細菌、空気の澱みや汚染物質をエアの勢いでその場から除去させることができるというエアの噴出装置を提供する。【解決手段】長尺で中空としたケース本体２を有し、そのケース本体の一部に少なくとも一以上の吸気ファン３を備え、前記ケース本体の上面に、前記中空を流路として前記吸気ファンによって吸引したエアを放出するための直線的な排気口を前記流路と連通して形成してあることとする。【選択図】図３
0003233280.tif 000002
【実用新案登録請求の範囲】
【請求項１】
長尺で中空としたケース本体を有し、そのケース本体の一部に少なくとも一以上の吸気ファンを備え、前記ケース本体の上面に、前記中空を流路として前記吸気ファンによって吸引したエアを放出するための直線的な排気口を前記流路と連通して形成してあることを特徴とするエアの噴出装置。
【請求項２】
前記吸気ファンは前記ケース本体の短手側両側面に各々備えられており、前記流路にエアを吸引する構成としてあることを特徴とする請求項１に記載のエアの噴出装置。
【請求項３】
前記ケース本体の底面は前記流路の中央部分を狭くするためにアーチ状に屈曲させてあることを特徴とする請求項１または２に記載のエアの噴出装置。
【請求項４】
前記した吸気ファンは前記ケース本体の底面に複数個が同一ピッチで備えられていることを特徴とする請求項１に記載のエアの噴出装置。
【請求項５】
前記したケース本体の底面の側縁には吸気ファンへのエアの流通のためスペースを形成する支持脚が複数設けられていることを特徴とする請求項４に記載のエアの噴出装置。
【請求項６】
前記排気口は直線的なスリットとしてあることを特徴とする請求項１に記載のエアの噴出装置。
【請求項７】
前記排気口は複数個の透孔を直線的に列設してあることを特徴とする請求項１に記載のエアの噴出装置。
【請求項８】
前記排気口は、その開口縁を波形としてあることを特徴とする請求項１に記載のエアの噴出装置。
【請求項９】
前記排気口の開口縁には断面波形とした方向ガイドが設けられていることを特徴とする請求項１に記載のエアの噴出装置。
【考案の詳細な説明】
【技術分野】
【０００１】
本考案はエアの噴出装置に関し、特に幕状にエアを噴出して、そのエアで隣席や対向席等の間に仕切を形成し、加えて会話等による飛沫をエアの噴出作用の勢いでその場から除去させることを可能とするエアの噴出装置に関する。
【背景技術】
【０００２】
従来、エアの噴出装置は種々の形態のものが知られているが、その多くは換気やエアコンディショニングを目的としたものである。また、現在、コロナ禍の影響で感染防止のため飲食店や会議室等にあって卓上にパーティションとして透明ウレタン製、アクリル製の幕もしくは仕切板を配設している。しかし、この幕や仕切板は、それ自体に飛沫が付着したり、空調の関係から曇りが生じたりすることで視界も不良なものとなってしまうことが多く、頻繁な消毒、殺菌、浄化作業を強いられるものとなっている。
【先行技術文献】
【特許文献】
【０００３】
出願人は本願考案において、先行する技術文献を調査したが、格別に本願考案と関連し、類似していると思われる文献は発見できなかった。
【考案の概要】
【考案が解決しようとする課題】
【０００４】
従来、特に飲食店や会議室等にあって、隣席や対向席との間をパーティションし、加えて、飛沫をはじめ花粉や細菌、空気の澱みや汚染物質をエアの勢いでその場から除去させることができるというエアの噴出装置は存在していなかったという点である。
【課題を解決するための手段】
【０００５】
上記した問題点を解決するために、本考案に係るエアの噴出装置は、長尺で中空としたケース本体を有し、そのケース本体の一部に少なくとも一以上の吸気ファンを備え、前記ケース本体の上面に、前記中空を流路として前記吸気ファンによって吸引したエアを放出するための直線的な排気口を前記流路と連通して形成してあることを特徴としている。
【０００６】
また、本考案に係るエアの噴出装置は、前記吸気ファンは前記ケース本体の短手側両側面に各々備えられており、前記流路にエアを吸引する構成としてあることを特徴とし、前記ケース本体の底面は前記流路の中央部分を狭くするためにアーチ状に屈曲させてあることを特徴としている。
【０００７】
さらに、本考案に係るエアの噴出装置は、前記した吸気ファンは前記ケース本体の底面に複数個が同一ピッチで備えられていることを特徴とし、前記したケース本体の底面の側縁には吸気ファンへのエアの流通のためスペースを形成する支持脚が複数設けられていることを特徴としている。
【０００８】
そして、本考案に係るエアの噴出装置は、前記排気口は直線的なスリットとしてあることを特徴とし、前記排気口は複数個の透孔を直線的に列設してあることを特徴とし、前記排気口は、その開口縁を波形としてあることを特徴とし、前記排気口の開口縁には断面波形とした方向ガイドが設けられていることを特徴としている。
【考案の効果】
【０００９】
本考案に係るエアの噴出装置は上記のように構成されている。そのため、直線的な排気口から噴出されたエアは、その直線に対応する幅をもって幕状となり隣席や対向席との間にパーティション（仕切り）を形成することができる。加えて、エアの噴出作用に伴って、空気中に滞留している種々の菌や汚染もその場から除去させることができ、しかも従来のパーティションのように頻繁な清浄作業を行う必要がなくなり、時間的にも経済的にも有利なものとなる。
【図面の簡単な説明】
【００１０】
【図１】本考案の第一実施例を示す斜視図である。
【図２】同じく別方向から見た斜視図である。
【図３】同じく正面図である。
【図４】同じく平面図である。
【図５】同じく側面図である。
【図６】本考案の第二実施例を示す斜視図である。
【図７】同じく底面方向から見た斜視図である。
【図８】同じく正面図である。
【図９】同じく平面図である。
【図１０】同じく断面図である。
【考案を実施するための形態】
【００１１】
図面として示し、実施例で説明したように構成したことで実現した。
【実施例１】
【００１２】
次に、図１乃至図５を参照して本考案の第一の実施例について説明する。図中１は本考案の第一の実施例に係るエアの噴出装置を示している。このエアの噴出装置１はプラスチックで成形された長尺のケース本体２を有しており、このケース本体２は中空のものとされている。
【００１３】
前記長尺で中空構造としたケース本体２の短手方向となる両側面には吸気ファン３、３が備えられているもので、この吸気ファン３、３の外部周囲にはガード４、４が設けられて、不測の事故を未然に防止している。また、本実施例にあって前記吸気ファン３、３は交流電源によって作動するＡＣファンを採用しているが、これにこだわるものではなく、バッテリーを電源としたファンを使用することもできることは勿論である。尚、図中５は電気コードを示している。
【００１４】
さらに、前記ケース本体２の上面中央には長手方向に沿って直線状に排気口６としてスリットが形成されている。吸気ファン３、３によってケース本体２内へ吸引されたエアは内部の中空を、その流路として流通し、排気口６より外部へ放出される。
【００１５】
ここで、ケース本体２の両端面に吸気ファン３、３が取り付けられている状態にあっては、ケース本体２の中央付近ではエアの流勢が衰えてしまい噴出力が弱まってしまうことを考慮して、本実施例ではケース本体２の底面７を長手方向に沿って中央部分を狭くしたアーチ状に形成し、一種のオリフィスを形成することでエアの流勢を増進もしくは維持して、排気口６からエアを強く噴射することを図っている。
【００１６】
そして、前記したガード４はケース本体２の両側面に吸気ファン３の交換や修理も容易に実行できるように複数本のねじ（ビス）８、８‥によって着脱自在に装着されたものとなっている。
【実施例２】
【００１７】
次いで、図６乃至図１０を参照して本考案の第二の実施例を説明する。これらの図にあって１０は本考案の第二の実施例に係るエアの噴出装置を示している。このエアの噴出装置本体１はプラスチックで成形された長尺のケース本体１１を有しており、このケース本体１１は中空のものとなっている。
【００１８】
このエアの噴出装置１０におけるケース本体１１は断面を略五角形状とし、上面の中央は三角形状とされており、この三角形状とした頂縁に、長手方向に沿って直線状とした排気口１２としてスリットが形成されている。
【００１９】
また、前記ボックス本体１１の底面板１３には所定のピッチをもって複数個、本実施例では三つの吸気ファン３、３‥が備えられている。この吸気ファン３、３‥によって外気をケース本体１１内の中空へ導入するため底面板１３の該当位置には透孔が形成されており、この透孔を塞ぎ、手指等を事故から防護するためのガード４、４‥が各々設けられている。
【００２０】
さらに、前記ボックス本体１１の底面側縁には、エアの噴出装置１０を机上や床上に据え置きした場合、吸気ファン３、３が吸気するための底面板１３と、その机上や床上とのスペースを確保するため、複数の支持部（スペーサ）１４、１４‥が設けられ、この支持部１４はケース本体１１の底面コーナーではその形状に合わせてＬ字形に形成し、安定性を図っている。尚、図中５は電気コードを示している。この第二の実施例にあってもＡＣ電源に代えバッテリー等を電源として使用できることは第一の実施例と同様である。
【００２１】
本実施例に係るエアの噴出装置は上記のように構成されている。本実施例にあってはケース本体２、１１の素材をプラスチックとしてあるが、これにこだわるものではなく、成形性の良い金属とすることも可能であり、インテリア性を高めるため、木製やセラミック等他の素材を使用することも可能である。
【００２２】
また、排気口６、１２としてスリットを採用しているが、これも透孔を直線的に列設した形態とすることもでき、その透孔の形状も円に限らず長円、楕円、その他菱形等に自在に採択することも可能であり、スリットも開口縁を波状とすることもできる。
【００２３】
さらに、本実施例における排気口６、１２の長手方向に沿った開口縁には、エアの噴出方向をガイドするガイドプレートを付設してやることもできる。このガイドプレートは波形板を開口縁に略直角に設けることが好ましく、エアを排気口６、１２の開口縁付近で拡散させてしまうことも防止することができる。
【００２４】
そして、本考案に係るエアの噴出装置は、机上や床上へ据え置くことを想定してはいるが、壁掛けや天井に取り付けることも可能で、その際にエアの噴出方向は壁面や天井に沿った方向とすることもできる。即ち、エアの噴出装置の底面を壁面や天井面に沿わせることのみでなく、壁面や天井面にエアの噴出装置の側面を沿わせる形態とすることもでき、加えてガイドを利用してエアの噴出方向を屈曲させてやることも可能となる。
【符号の説明】
【００２５】
１、１０    エアの噴出装置
２、１１  ケース本体
３    吸気ファン
４    ガード
５    電気コード
６、１２  排気口
７    底面
８    ネジ（ビス）
１３  底板
１４  支持部（スペーサ）
【図１】
0003233280.tif 000003
【図２】
0003233280.tif 000004
【図３】
0003233280.tif 000005
【図４】
0003233280.tif 000006
【図５】
0003233280.tif 000007
【図６】
0003233280.tif 000008
【図７】
0003233280.tif 000009
【図８】
0003233280.tif 000010
【図９】
0003233280.tif 000011
【図１０】
0003233280.tif 000012